(57)【要約】【課題】クラッドへの入射光をより確実に除去することができる光ファイバを提供する。【解決手段】光ファイバ１００は、一端から光を入射する高パワーレーザ伝送用光ファイバである。光ファイバ１００は、入射端から入射された光を伝搬するコア１０１と、コア１０１の外周を包囲する第１クラッド１０２と、第１クラッド１０２よりも屈折率が大きい材料で構成されており、第１クラッド１０２の外周を包囲する第２クラッド１０３とを備えている。第１クラッド１０２は、コア１０１に入射されなかった光を受光するとともに、受光した光を第２クラッド１０３に出射する。第２クラッド１０３は、第１クラッド１０２から出射された光を外部に出射して除去する光除去部を有する。【選択図】図１
2014074771.tif 000002
【特許請求の範囲】
【請求項１】
一端から光を入射する高パワーレーザ伝送用光ファイバであって、
入射端から入射された光を伝搬するコアと、
前記コアの外周を包囲する第１クラッドと、
前記第１クラッドの外周を包囲する第２クラッドとを備え、
前記第１クラッドの屈折率は、前記コアの屈折率および前記第２クラッドの屈折率より小さく、
前記第１クラッドは、前記コアから外れた光を受光するとともに、前記受光した光を前記第２クラッドに出射し、
前記第２クラッドは、前記第１クラッドから出射された光を外部に出射して除去する光除去部を有する、
ことを特徴とする光ファイバ。
【請求項２】
前記第１クラッドの外径は、前記コアの外径の１．４倍より大きいことを特徴とする請求項１に記載の光ファイバ。
【請求項３】
前記入射端に入射される光の外径をＤ２、前記第１クラッドの外径をＤ３、前記入射端に入射される光の中心位置の前記コアの中心位置からのずれ量をｒ、としたときに、
Ｄ３≧Ｄ２＋２ｒ
を満たすことを特徴とする請求項１または２に記載の光ファイバ。
【請求項４】
前記コアは純石英で構成され、
前記第１クラッドは純石英にフッ素が添加された材料で構成され、
前記第２クラッドは純石英にゲルマニウムが添加された材料で構成され、
前記第２クラッドの屈折率は、前記コアの屈折率よりも大きいことを特徴とする請求項１〜３のいずれか一項に記載の光ファイバ。
【請求項５】
請求項１〜４のいずれか一項に記載の光ファイバと、
前記光ファイバに入射させるための光を生成する光源と、
前記光源によって生成された光を集光して前記光ファイバに入射させる集光光学系とを備えたことを特徴とする光学装置。
【請求項６】
前記集光光学系は、ＸＹ調芯可能な調芯機構と、コア結合光を測定可能な受光装置と、を備え、ＸＹ方向における光の位置を変化させたときの
前記コアの外径をＤ１、前記入射端に入射される光の外径をＤ２、前記第１クラッドの外径をＤ３、としたときに、
Ｄ３≧Ｄ１＋２Ｄ２
を満たすことを特徴とする請求項５記載の光学装置。
【発明の詳細な説明】
【技術分野】
【０００１】
本発明は、高強度のレーザ光を伝送するのに適した光ファイバおよび光学装置に関する。
【背景技術】
【０００２】
高強度の光を伝送するのに用いられる高パワーレーザ伝送用ファイバとして、例えば特許文献１，２に記載されているものが知られている。特許文献１，２に記載された光ファイバは、レーザ光を伝搬するコアと、コアの外周に設けられたクラッドとを備え、光ファイバの入射端面付近におけるクラッドの表面が粗研磨あるいはエッチング等で粗面化処理されている。この光ファイバでは、上記のように粗面化処理を施すことにより、コアから外れてクラッドに入射された光をファイバの外に散乱させて、光ファイバの被覆部の損傷防止を可能としている。
【先行技術文献】
【特許文献】
【０００３】
【特許文献１】米国特許第４５７５１８１号公報
【特許文献２】実公昭６１−２９６４号公報
【発明の概要】
【発明が解決しようとする課題】
【０００４】
しかしながら、特許文献１，２のように粗面化処理を施した光ファイバの場合、クラッドに入射した光のうち、光ファイバの延在方向に対する角度が大きい入射光はクラッド表面で散乱されるものの、光ファイバの延在方向に対する角度が小さい入射光はクラッド表面で全反射される場合がある。このように、従来の光ファイバでは、光ファイバの延在方向に対する角度が小さい入射光はクラッドから除去されないことがあるため、クラッドへの入射光を確実に除去することが求められている。
【０００５】
本発明は、このような問題点に鑑みてなされたものであり、コアから外れてクラッドに入射した光をより確実に除去することができる光ファイバおよび光学装置を提供することを目的とする。
【課題を解決するための手段】
【０００６】
本発明の光ファイバは、一端から光を入射する高パワーレーザ伝送用光ファイバであって、入射端から入射された光を伝搬するコアと、コアの外周を包囲する第１クラッドと、第１クラッドの外周を包囲する第２クラッドとを備え、第１クラッドの屈折率は、コアの屈折率および第２クラッドの屈折率より小さく、第１クラッドは、コアから外れた光を受光するとともに、受光した光を第２クラッドに出射し、第２クラッドは、第１クラッドから出射された光を外部に出射して除去する光除去部を有する、ことを特徴とする。
【０００７】
この光ファイバでは、クラッドへの入射光が光除去部へ入射する際の光ファイバの延在方向に対する角度が、光ファイバの入射端における光ファイバの延在方向に対する角度より大きくなる。よって、入射角が小さいクラッドへの入射光であっても、第２クラッドの光除去部で確実に除去することができる。
【０００８】
本発明の光ファイバにおいて、第１クラッドの外径は、コアの外径の１．４倍より大きいことが好ましい。この場合、ガウシアンビームの特性に基づいて、コアから外れた光を確実に第１クラッド光に入射させ、クラッドへの入射光をより一層確実に除去することができる。
【０００９】
本発明の光ファイバにおいて、入射端に入射される光の外径をＤ２、第１クラッドの外径をＤ３、入射端に入射される光の中心位置のコアの中心位置からのずれ量をｒ、としたときに、Ｄ３≧Ｄ２＋２ｒを満たすことが好ましい。これにより、入射端における光の位置がコアの中心からずれた場合であっても、クラッドへの入射光をより一層確実に除去することができる。
【００１０】
本発明の光ファイバにおいて、コアは純石英で構成され、第１クラッドは純石英にフッ素が添加された材料で構成され、第２クラッドは純石英にゲルマニウムが添加された材料で構成され、第２クラッドの屈折率は、コアの屈折率よりも大きいことが好ましい。このように構成すれば、耐光性が高く、かつ、コアから外れてクラッドに入射された光をより確実に除去される光ファイバが提供される。
【００１１】
本発明の光学装置は、上記の光ファイバと、光ファイバに入射させるための光を生成する光源と、光源によって生成された光を集光して光ファイバに入射させる集光光学系とを備えたことを特徴とする。
【００１２】
上述した光学装置では、クラッドへの入射光が好適に除去された光を生成することができる。
【００１３】
本発明の光学装置では、集光光学系は、ＸＹ調芯可能な調芯機構と、コア結合光を測定可能な受光装置と、を備え、ＸＹ方向における光の位置を変化させたときのコアの外径をＤ１、入射端に入射される光の外径をＤ２、第１クラッドの外径をＤ３、としたときに、Ｄ３≧Ｄ１＋２Ｄ２を満たすことが好ましい。これにより、調芯時に入射端における光の位置がコアの中心からずれた場合であっても、クラッドへの入射光をより一層確実に除去することができる。
【発明の効果】
【００１４】
本発明によれば、コアから外れてクラッドに入射された光をより確実に除去することができる。
【図面の簡単な説明】
【００１５】
【図１】（ａ）は本発明の一実施形態に係る光ファイバを延在方向に直交する平面で切断したときの断面図である。（ｂ）は本発明の一実施形態における光ファイバを延在方向に平行な平面で切断したときの断面図である。
【図２】図１の光ファイバにおける径方向の変位と屈折率との関係を示したグラフであり、（ａ）はコアの屈折率と第２クラッドの屈折率とが同一である場合、（ｂ）はコアの屈折率より第２クラッドの屈折率の方が大きい場合、をそれぞれ示す。
【図３】本発明の一実施形態に係る光学装置を示す概略構成図である。
【図４】（ａ）は、図１の光ファイバにおける入射光のコアに対するずれと、コアに入射される入射光のパワーとの関係を、入射光の外径ごとに示すグラフである。（ｂ）は、光をコアの中心からずらしていく状態を説明するための図である。
【図５】図１の光ファイバにおけるコアの外径と第１クラッドの外径と、光ファイバに入射する入射光の外径との関係を説明するための図である。
【図６】ガウシアンビームの特性に基づく等高線半径と相対放射強度との関係を示すグラフである。
【発明を実施するための形態】
【００１６】
以下、添付図面を参照して、本発明を実施するための形態を詳細に説明する。なお、同一の説明において同一の要素には同一の符号を付し、重複する説明を省略する。また、各図において、Ｚ方向（矢印Ｚ）は光ファイバ１００の延在方向を示し、Ｘ方向（矢印Ｘ）及びＹ方向（矢印Ｙ）は光ファイバ１００の延在方向に垂直な方向をそれぞれ示す。
【００１７】
本実施形態の光ファイバ１００は、一端から光を入射する高パワーレーザ伝送用光ファイバであり、例えば、レーザ加工装置における加工光を伝送するための光ファイバとして用いられる。光ファイバ１００は、長手方向に延在して形成される線状を呈しており、図１（ａ）に示されるように、その断面形状は円形となっている。光ファイバ１００は、例えば石英ガラスによって構成されており、レーザ光を伝送し、レーザ加工装置におけるレーザ光伝送手段に適用され得る。
【００１８】
光ファイバ１００は、光ファイバ１００の入射端から入射された光を伝搬するコア１０１と、コア１０１の外周を包囲する第１クラッド１０２と、第１クラッド１０２の外周を包囲する第２クラッド１０３とを備える。コア１０１は、高パワーレーザに対する耐光性の観点から、純石英で構成されることが好ましい。コア１０１及び第２クラッド１０３は、その屈折率が第１クラッド１０２の屈折率より大きい材料で構成されている。また、第１クラッド１０２の厚みは、例えば１０μｍ以上１．５ｍｍ以下となっている。
【００１９】
光源１０５から出射された光は、集光光学系１０６によって光ファイバ１００の入射端から入射される。コア１０１に入射される光は、図１（ｂ）に示されるように通常コア１０１に入射されるが、コア１０１から外れた光Ｌは第１クラッド１０２に入射される。
【００２０】
コア１０１から外れた光Ｌは、例えば入射角θ４をもって第１クラッド１０２に入射される。ここで、入射角θ４は光ファイバ１００の延在方向と光線のなす角度である。そして、第２クラッド１０３の屈折率が第１クラッド１０２の屈折率よりも大きいため、第１クラッド１０２に入射された光Ｌの光ファイバ１００の延在方向となす角θ１よりも第２クラッド１０３に出射された光の光ファイバの延在方向となす角θ２の方が大きくなる。
【００２１】
このように、第２クラッド１０３に出射された光Ｌは、光ファイバの延在方向となす角θ２をもって、第２クラッド１０３の表面に到達する。ここで、第２クラッド１０３の表面における光Ｌが到達する領域には、光除去部１０３ａが設けられている。光除去部１０３ａは、光Ｌを外部に出射して除去することを促進する機能を有するものであり、第２クラッド１０３の表面を粗面化処理して構成しても良いし、さらに外周に屈折率の大きい部材を配置して構成しても良い。
【００２２】
通常、光Ｌは光除去部１０３ａに到達して外部に除去されるが、光除去部１０３ａに対する入射角が小さい場合には、光除去部１０３ａにおいて全反射され、外部に除去されることなくクラッドを伝送していくことがある。このように、クラッドを伝送していく光Ｌが光ファイバ１００の他端から出射され、不要光となる恐れがある。即ち、レーザ加工においては、コア伝送光の周辺領域までがクラッド伝送光によって加工されることとなり、加工精度が低下する。しかしながら、本実施形態においては、第１クラッド１０２に入射した光Ｌは、光ファイバの延在方向となす角度が、入射角θ４より大きいθ２をもって光除去部１０３ａに到達するよう構成されているので、光除去部１０３ａに到達した光が全反射されてクラッド内を伝送することを防止できる。即ち、コアから外れてクラッドに入射された光をより確実に外部に除去することができる。
【００２３】
コア１０１、第１クラッド１０２、および第２クラッド１０３の屈折率について、より具体的には、コア１０１、第１クラッド１０２および第２クラッド１０３の屈折率をそれぞれ屈折率ｎ１，ｎ２，ｎ３とすると、図２（ａ）に示されるように、コア１０１の屈折率ｎ１と第２クラッド１０３の屈折率ｎ３が等しく、屈折率ｎ２は屈折率ｎ１，ｎ３より小さくなっている。第１クラッド１０２は、例えば純石英にフッ素が添加された材料を用いることにより、その屈折率ｎ２が屈折率ｎ１，ｎ３より小さくなっている。コア１０１と第２クラッド１０３の材質は共に純石英である。このとき、例えばｎ１＝ｎ３＝１．４５、ｎ２＝１．４３５、比屈折率Δｎ＝（ｎ３−ｎ２）／ｎ３＝１％、となっている。
【００２４】
なお、屈折率ｎ１，ｎ２，ｎ３については、上記の例に限られず、図２（ｂ）に示されるように、第２クラッド１０３の屈折率ｎ３をコアの屈折率ｎ１および第１クラッド１０２の屈折率ｎ２より大きくしてもよい。この場合、第２クラッド１０３は、例えば純石英にゲルマニウムが添加された材料を用いることにより、その屈折率ｎ３が屈折率ｎ１，ｎ２より大きくなっている。このとき、例えばｎ１＝１．４５、ｎ２＝１．４３５、ｎ３＝１．４５５、比屈折率Δｎ＝（ｎ３−ｎ２）／ｎ３＝１．４％、となっている。このように屈折率ｎ３を大きくすると、第２クラッド１０３の屈折角θ２をより大きくすることができる。
【００２５】
次に、光ファイバ１００を用いた光学装置１について、図３を用いて説明する。この図３に示された光ファイバ１００Ａ，１００Ｂは、光ファイバ１００と同一構成の光ファイバであり、高強度（例えば２ｋＷ〜１０ｋＷ）のレーザ光を鉄板等の被加工物Ｗに照射して加工する光学装置１のレーザ光伝送手段として使用される。
【００２６】
光学装置１は、上記の光ファイバ１００Ａ，１００Ｂと、レーザ発振器１０と、光伝送装置２０と、加工装置３０とを備える。
【００２７】
レーザ発振器１０は、光Ｃを生成する光源１１と、光ファイバ１００Ａに光を入射させるための集光光学系として機能するコリメータ１２および集光レンズ１３と、光ファイバ１００Ａの入射端をレーザ発振器１０に接続するコネクタ１４とを備える。
【００２８】
コリメータ１２は光源１１からの光Ｃを平行光に変換する。集光レンズ１３は、コリメータ１２からの平行光を集光して光Ｂを光ファイバ１００Ａに入射させる。光源１１によって生成された光Ｃは、コリメータ１２によって平行光に変換され、集光レンズ１３によって集光されてから、光ファイバ１００Ａの入射端に入射される。
【００２９】
また、レーザ発振器１０の集光光学系を構成する光学部品は、光ファイバ１００Ａの入射端に対してＸ方向、Ｙ方向およびＺ方向に移動可能となっており、このように集光光学系を移動させることにより、光ファイバ１００Ａの入射端に入射させる光の位置や、入射端における光の外径を調整させることができるようになっている。具体的には、光学部品をＸ方向またはＹ方向に移動させることにより光の入射端における入射位置を調整でき、光学部品をＺ方向に移動させることにより入射端における光の外径を調整することができる。
【００３０】
光伝送装置２０は、コネクタ２１，２４と、集光光学系を構成するコリメータ２２および集光レンズ２３を備えている。コネクタ２１には光ファイバ１００Ａの出射端が接続されており、コネクタ２４には光ファイバ１００Ｂの入射端が接続されている。レーザ発振器１０から光ファイバ１００Ａを介して光伝送装置２０に入射された光Ｄは、コリメータ２２によって平行光に変換され、集光レンズ２３によって集光され、集光された光Ｅが光ファイバ１００Ｂの入射端に入射される。
【００３１】
加工装置３０は、コネクタ３１と、集光光学系を構成するコリメータ３２および集光レンズ３３と、加工ヘッド３５とを備えている。コネクタ３１には光ファイバ１００Ｂの出射端が接続されている。光伝送装置２０から光ファイバ１００Ｂを介して加工装置３０に入射された光Ｆは、コリメータ３２によって平行光に変換され、集光レンズ３３によって集光され、集光された光Ｇが加工ヘッド３５の外部に存在する被加工物Ｗに照射される。この加工ヘッド３５を被加工物Ｗに対して移動させて被加工物Ｗの所望の位置に光Ｇを照射することにより、被加工物Ｗの加工を行うことができるようになっている。
【００３２】
ところで、上述したレーザ発振器１０等によって光ファイバ１００の入射端に光を入射させる場合、入射端に対する光の位置及び入射端における光の外径の大きさを調整する調芯を行う必要がある。ここで、光の焦点が光ファイバ１００の入射端と一致すると、入射端における光のエネルギー密度が高くなり光ファイバ１００の損傷を引き起こす可能性があるため、調芯時には、例えば図１（ｂ）に示されるように、光の焦点位置を入射端からずらすデフォーカスを行うことが一般的である。また、調芯時には、入射端において、光の中心がコア１０１の中心と一致するようにＸ方向およびＹ方向に調芯しつつ、光の外径が所望の値になるようにＺ方向に調芯を行う。
【００３３】
次に、調芯時における、入射端における光の外径と、コア１０１に結合される光Ｂのパワーとの関係について、図４を参照して説明する。図４（ａ）は、コア１０１の外径を１００μｍ、入射端における光の外径を５０μｍ、７０μｍ、９０μｍとした場合において、図４（ｂ）に示されるように、入射端に対する光の位置をコア１０１の中心からＸ軸方向にずらしていった場合のコア１０１に結合される光Ｂのパワーを示したグラフである。このグラフでは、光がコア１０１内に収まっているときのパワーを１とし、光が完全にコア１０１から外れたときのパワーを０としている。コア１０１から外れた光Ｌは、第１クラッド１０２が受光する。
【００３４】
図４（ａ）の実線で示されるように、光の外径が５０μｍの場合は、コア１０１の中心に対する光のずれが２５μｍ以上になるとコア１０１が受けるパワーが１から減り始め、光のずれが７５μｍ程度になるとパワーは０となる。光の外径が７０μｍの場合は、図４（ａ）の破線で示されるように、コア１０１の中心に対する光のずれが１５μｍ以上になるとパワーが１から減り始め、ずれが８５μｍ程度になるとパワーは０となる。図４の二点鎖線で示されるように、光の外径が９０μｍの場合は、光のずれが５μｍ以上になるとパワーが１から減り始め、ずれが９５μｍ程度になると０となる。
【００３５】
このように、光の外径によってコア１０１に結合されるパワーの減少状態は異なっており、パワーが１から減り始めるときのずれの値、およびパワーが０となったときのずれの値、のいずれかがわかれば、光の外径を推定できるようになっている。具体的には、例えば、ずれが５μｍ以上になったときにパワーが１から減り始めた場合は光の外径が９０μｍであることを推定でき、ずれが９５μｍ程度になったときにパワーが０となることからも光の外径が９０μｍであることを推定でき、さらに、パワーが０となるときのずれ９５μｍとパワーが１から減り始めるときのずれ５μｍとの差から、光の外径が９０μｍであることを推定することもできる。
【００３６】
以上のように調芯時にコア１０１に結合される光Ｂのパワーを考慮して、本実施形態の光ファイバ１００では、コア１０１の外径および第１クラッド１０２の外径が、入射端に入射される光の外径に基づいて決定されている。具体的には、例えば図５に示されるように、コア１０１の外径をＤ１、入射端における光の外径をＤ２、第１クラッド１０２の外径をＤ３、とすると、下記式（１）を満たすようになっている。
Ｄ３≧Ｄ１＋２Ｄ２  ・・・（１）
【００３７】
このように、コア１０１の外径Ｄ１、入射端における光の外径Ｄ２、および第１クラッド１０２の外径Ｄ３が上記の式（１）を満たすことにより、調芯時に光がコア１０１から完全に外れたときでも、コア１０１から外れた光を全て第１クラッド１０２に入射させることができる。よって、調芯を行う際にコア１０１から外れ第１クラッド１０２に入射した光Ｌを、より大きな屈折角をなすように第２クラッド１０３に導くことができるため、コア１０１から外れた光Ｌをより確実に除去することができる。
【００３８】
なお、光が第２クラッド１０３に直接入射した場合、光は第１クラッド１０２の表面で全反射され、光除去部１０３ａに入射角θ５で入射する。即ち、第２クラッド１０３に直接入射した光は、第１クラッド１０２から出射された光より小さい入射角θ５をもって光除去部１０３ａに入射するから、光除去部１０３ａにおいて全反射され、外部に出射されない場合がある。これを防ぐためには、上記のようにコア１０１から外れた光を確実に第１クラッド１０２に入射させる構成をとるのが有効である。
【００３９】
次に、図６を参照しながら、光の径方向の位置と、光の強度との関係に基づいて、本実施形態における光の外径の定義について説明する。図６は、ガウシアンビームの特性に基づく光の径方向の位置と光の強度との関係を示すグラフである。図６に示されるように光の中心における強度を１００％として、光の外径Ｄ２を、その強度が中心の１３．５％となる位置として定義する。
【００４０】
なお、このように光の外径Ｄ２を定義すると、この光をコアの外径Ｄ１の光ファイバに入射させる際に３０％の光が考慮されていない。例えば、強度が中心の２％となる位置における光の外径は約１．４×Ｄ２となる。高パワーレーザを用いる光学装置においては、光の外径Ｄ２〜１．４×Ｄ２の間の領域の光エネルギーも大きいから、調芯後の使用時には、このような光も確実にクラッドから除去されていることが好ましい。
【００４１】
このような観点から、光ファイバ１００の入射端に入射される光の外径をコア１０１の外径と略等しくしてエネルギー密度を低下させた場合であっても、第１クラッド１０２の外径はコア１０１の外径の１．４倍より大きいことが好ましい。この場合、上記のようなガウシアンビームの特性に基づいて、コア１０１から外れた光を確実に第１クラッド１０２に入射させ、第１クラッド１０２に入射した光を第２クラッド１０３から外部に出射することができるため、コア１０１に入射されなかった光をより一層確実に除去することができる。さらに、第１クラッド１０２の外径は１００μｍ以上であることが好ましい。
【００４２】
以上、本発明の光ファイバおよび光学装置は、その趣旨を逸脱しない範囲において、適宜変更可能である。即ち、上記実施形態では、コア１０１が純石英で構成され、光ファイバ１００が石英製光ファイバである例について説明した。しかし、光ファイバの種類は上記の例に限られず、プラスチック製光ファイバ等、あらゆる種類の光ファイバに本発明を適用することができる。
【００４３】
また、上記実施形態では、入射端における光の位置がコア１０１の中心からずれた場合の一例として、上記式（１）を満たす例について説明したが、入射端における光の位置がコア１０１の中心からずれる場合はこの例に限られない。すなわち、光学装置の設置条件等を事前に考慮して、調芯時や調芯後の軸ずれや外乱等によって光がずれたときでも第１クラッド１０２が当該光を受光可能となるように、光の外径に基づいて第１クラッド１０２の外径が決定されればよい。
【００４４】
具体的には、コアの外径をＤ１、入射端に入射される光の外径をＤ２、第１クラッドの外径をＤ３、入射端に入射される光の中心位置のコアの中心位置からのずれ量をｒ、としたときに、Ｄ３≧Ｄ２＋２ｒを満たすように、光ファイバが構成されていれば良い。ｒは、光学装置の設置条件等を事前に考慮して、調芯時や調芯後の軸ずれや外乱等から予め設定される量である。
【００４５】
入射端に入射される光はコアの中心からｒだけコア中心に対して両側に移動し得る。そして、入射端に入射される光の外径がＤ２のとき、光の外延はコア中心位置から片側にずれる量は、
ｒ＋Ｄ２／２
となる。
よって、軸ずれｒが生じたときの光の外縁は、外径が２×（ｒ＋Ｄ２／２）となるから、軸ずれｒが生じたときであっても光の外縁が第１クラッド内に収まるように、
Ｄ３≧Ｄ２＋２ｒ
となる条件に設定すれば、軸ずれｒが生じたときであっても、光が第２クラッドに直接入射されるのを防止でき、光除去部において確実にクラッド入射光を除去することができる。
【００４６】
なお、上述のように本実施形態における光学装置で調芯を実施する場合、
ｒ＝Ｄ１／２＋Ｄ２／２
であるから、上述のような調芯工程を実施する場合には、
Ｄ３≧Ｄ１＋２Ｄ２
となっていれば良い。
【００４７】
また、上記実施形態では、レーザ発振器１０、光伝送装置２０および加工装置３０を備えた光学装置１について説明したが、本発明に係る光学装置の構成はこれに限定されず、例えば、光伝送装置２０を省略してレーザ発振器１０と加工装置３０とを直接接続させるようにしてもよい。
【符号の説明】
【００４８】
１…光学装置、１１…光源、１３…集光レンズ（集光光学系）、１００…光ファイバ、１０１…コア、１０２…第１クラッド、１０３…第２クラッド、１０３ａ…光除去部。
【図１】
2014074771.tif 000003
【図２】
2014074771.tif 000004
【図３】
2014074771.tif 000005
【図４】
2014074771.tif 000006
【図５】
2014074771.tif 000007
【図６】
2014074771.tif 000008